(57)【特許請求の範囲】
【請求項１】
検体を分析する自動分析装置であって、
分析動作を制御する制御部と、
前記制御部により制御される表示部と、
前記検体に関するデータを記憶する記憶部を備え、
前記制御部は、
前記表示部の表示画面上に、前記検体の検体ＩＤ及び分析状況を含む検体リストを選択可能に表示し、前記検体リスト中の選択された検体に対する処理メニューを表示させるためのメニュー表示用ボタンを前記選択された検体内に表示し、前記メニュー表示用ボタンが指示されると、前記検体に対する処理メニューの選択肢をメニューボタンとして、前記メニュー表示用ボタンの近傍に表示するよう制御する、
ことを特徴とする自動分析装置。
【請求項２】
請求項１記載の自動分析装置において、
前記制御部は、
前記検体リストから選択された検体をハイライト表示し、前記メニュー表示用ボタンを前記選択された検体の端に表示し、前記メニューボタンは前記メニュー表示用ボタンの近傍に別ウィンドウにて重ねて表示するよう制御する、
ことを特徴とする自動分析装置。
【請求項３】
請求項１記載の自動分析装置において、
前記制御部は、
前記表示部の表示画面に、前記検体を収納して搬送する複数の検体ラックの全体工程における状態を示す全体工程表示エリアと、前記全体工程表示エリアに表示された複数の前記検体ラックから選択された検体ラックを拡大表示する検体ラック拡大表示エリアと、選択された前記検体ラック上の検体の状況を前記検体リストとして表示する検体状況表示エリアを表示し、前記検体リストから選択された検体について前記メニュー表示用ボタンを表示するよう制御する、
ことを特徴とする自動分析装置。
【請求項４】
請求項３記載の自動分析装置において、
前記制御部は、
前記全体工程表示エリアに、プライマリ検体とセカンダリ検体の情報を表示するよう制御する、
ことを特徴とする自動分析装置。
【請求項５】
請求項４記載の自動分析装置において、
前記制御部は、
前記全体工程表示エリアに、トレイ供給ラック、緊急検体投入ラック、サンプリング検体、及び前記プライマリ検体をラック単位で表示するよう制御する、
ことを特徴とする自動分析装置。
【請求項６】
請求項４記載の自動分析装置において、
前記制御部は、
前記全体工程表示エリアに、前記セカンダリ検体を検体単位で表示する、
ことを特徴とする自動分析装置。
【請求項７】
検体を分析する、制御部と表示部を備えた自動分析装置の情報表示方法であって、
前記制御部は、
分析される検体の状況を前記表示部に表示する際に、前記表示部の表示画面上に、前記検体の検体ＩＤ及び分析状況を含む検体リストを選択可能に表示し、前記検体リスト中の選択された検体に対する処理メニューを表示させるためのメニュー表示用ボタンを前記選択された検体内に表示し、
前記メニュー表示用ボタンが指示されると、前記検体に対する処理メニューの選択肢をメニューボタンとして、前記メニュー表示用ボタンの近傍に表示するよう制御する、
ことを特徴とする自動分析装置の情報表示方法。
【請求項８】
請求項７記載の自動分析装置の情報表示方法において、
前記制御部は、
前記検体リストから選択された検体をハイライト表示すると共に、前記メニュー表示用ボタンを前記選択された検体の端に表示し、前記メニューボタンは前記メニュー表示用ボタンの近傍に別ウィンドウにて重ねて表示するよう制御する、
ことを特徴とする自動分析装置の情報表示方法。
【請求項９】
請求項７記載の自動分析装置の情報表示方法において、
前記制御部は、
前記表示部の表示画面に、前記検体を収納して搬送する複数の検体ラックの全体工程における状態を示す全体工程表示エリアと、前記全体工程表示エリアに表示された複数の前記検体ラックから選択された検体ラックの状況を拡大表示する検体ラック拡大表示エリアと、選択された前記検体ラック上の検体の状況を前記検体リストとして表示する検体状況表示エリアを表示し、前記検体リストのうち選択された検体について前記メニュー表示用ボタンを表示するよう制御する、
ことを特徴とする自動分析装置の情報表示方法。
【請求項１０】
請求項９記載の自動分析装置の情報表示方法において、
前記制御部は、
前記全体工程表示エリアに、プライマリ検体とセカンダリ検体の情報を表示するよう制御する、
ことを特徴とする自動分析装置の情報表示方法。
【請求項１１】
検体を分析する自動分析装置の情報表示システムであって、
前記検体に関するデータを記憶する記憶部と、
前記検体の自動分析に関する情報を表示する表示部と、
前記記憶部および表示部を統括する制御部を備え、
前記制御部は、
前記記憶部から前記検体に関するデータを読み出して、
前記表示部の表示画面上に、前記検体の検体ＩＤ及び分析状況を含む検体リストを選択可能に表示し、
前記検体リスト中の選択された検体に対する処理メニューを表示させるためのメニュー表示用ボタンを前記選択された検体内に表示し、
前記メニュー表示用ボタンが指示されると前記検体に対する処理メニューの選択肢をメニューボタンとして、前記メニュー表示用ボタンの近傍に表示するよう制御する、
ことを特徴とする自動分析装置の情報表示システム。
【発明の詳細な説明】
【技術分野】
【０００１】
本発明は、血液，尿などの生体サンプルの定性・定量分析を行う自動分析装置に係り、特に装置運用上で必要な検索や抽出操作を行う表示画面を備えた自動分析装置のユーザインタフェース技術に関する。
【背景技術】
【０００２】
血液，尿などの生体サンプルの定性・定量分析を行う自動分析装置は、分析の迅速性，定量性から、大規模病院，検査センタを中心に普及が著しい。従来の自動分析装置では、表示画面上に、装置本体に搭載されている試薬の配置情報，管理番号，在庫量が模式的に表示され、状態確認したい試薬が表示画面上において指定されると、当該試薬の確認動作が開始され、その確認結果が前記表示画面上に表示される。これにより、装置オペレータの使い勝手を向上するようにしたものがある。【０００３】
例えば、特許文献１には、ユーザインタフェースを備えた自動分析装置として、検体容器を架設する検体ラックや試薬容器を架設する試薬ディスクについて、検体容器または試薬容器の実際の物理的配置と同じ配置状態を表示する表示手段を用い、指定された検体または試薬の種類を他のものと識別して表示するよう表示手段を制御する構成が開示されている。【０００４】
また、自動分析装置には種々の構成が存在するが、特許文献２には前処理ディスクを備え、検体サンプルの希釈等の前処理を前処理ディスクで行う構成が開示されているが、特にユーザインタフェースについては開示されていない。
【先行技術文献】
【特許文献】
【０００５】
【特許文献１】特開２００９−０３６５１３号公報
【特許文献２】特開２００９−１３９２４５号公報
【発明の概要】
【発明が解決しようとする課題】
【０００６】
上述の特許文献１では、検体容器または試薬容器の実際の物理的配置と同じ配置状態を表示する表示手段を設け、表示の際に、選択された情報が視覚的に区別されるように凡例等を用いて表示し、更に凡例表示の種類ごとに選択できる手段を設けて、感覚的、あるいは、視覚的に画面に表示することにより、不慣れな操作者にもわかるようにし、直感的な操作ができるよう工夫されている。【０００７】
しかしながら、特許文献１に開示されている自動分析装置では、選択された検体に対する処理メニューの表示に関しては特段言及されておらず、実際の物理的配置や凡例を見て検体等選択した後の操作のしやすさについては特別な配慮はされていない。【０００８】
本発明の目的は、使い勝手のよいユーザインタフェースを備えた自動分析装置、その情報表示方法、および情報表示システムを提供することにある。
【課題を解決するための手段】
【０００９】
上記目的を達成するため、本発明においては、検体を分析する自動分析装置であって、投入部より投入され、搬送路を介して搬送された検体ラックの検体サンプルが分注される反応ディスクと、反応ディスク等を制御する制御部と、反応ディスクで処理される検体サンプルの状況を表示する表示部と、検体サンプルに関するデータを記憶する記憶部を備え、制御部は、表示部の表示画面上に、検体ＩＤ及び検体の分析状況を含む検体リストを選択可能に表示し、検体リスト中の選択された検体に当該検体に対する処理メニューを表示させるためのメニュー表示用ボタンを表示し、メニュー表示用ボタンが指示されると、検体に対するメニューの選択肢をメニューボタンとして表示するよう制御する構成の自動分析装置を提供する。【００１０】
また、本発明においては、上記の目的を達成するため、検体を分析する自動分析装置であって、投入部より投入され、搬送路を介して搬送された検体ラック上の検体サンプルが分注される反応ディスクと、反応ディスクの動作を制御する制御部と、制御部により制御される表示部と、検体に関するデータを記憶する記憶部を備え、制御部は、表示部の表示画面に、全体工程における複数の検体ラックの状態を示す全体工程表示エリアと、全体工程表示エリアに表示された複数の検体ラックから選択された検体ラックを拡大表示する検体ラック拡大表示エリアを表示し、検体ラック拡大表示エリアに近接して配置され、複数の検体ラックを順次表示するためのスクロールバーを表示するよう制御する構成の自動分析装置を提供する。【００１１】
更に、本発明においては、上記の目的を達成するため、検体を分析する自動分析装置であって、投入部より投入され、搬送路を介して搬送された検体ラック上の検体サンプルが分注される前処理ディスクと、前処理ディスクで前処理された検体サンプルが分注される反応ディスクと、前処理ディスク、反応ディスクの動作を制御する制御部と、制御部により制御される表示部と、検体に関するデータを記憶する記憶部を備え、制御部は、表示部の表示画面上に、全体工程における複数の検体ラックの状態を示す全体工程表示エリアと、前処理ディスク上の検体サンプルの状態を示す前処理ディスク表示エリアを表示するよう制御する構成の自動分析装置を提供する。【００１２】
またさらに、本発明においては、上記の目的を達成するため、検体を分析する自動分析装置の情報表示システムであって、検体に関するデータを記憶する記憶部と、検体の自動分析に関する情報を表示する表示部と、記憶部および表示部を統括する制御部を備え、制御部は、記憶部から検体に関するデータを読み出して、表示部の表示画面上に、検体の検体ＩＤ及び分析状況を含む検体リストを選択可能に表示し、検体リスト中の選択された検体に対する処理メニューを表示させるためのメニュー表示用ボタンを表示し、メニュー表示用ボタンが指示されると検体に対する処理メニューの選択肢をメニューボタンとして表示するよう制御する構成の自動分析装置の情報表示システムを提供する。
同様に、搬送路を介して搬送される検体ラック上の検体を分析する自動分析装置の情報表示システムであって、検体ラックに関するデータを記憶する記憶部と、検体の自動分析に関する情報を表示する表示部と、記憶部および表示部を統括する制御部を備え、制御部は、記憶部から検体ラックに関するデータを読み出して、表示部の表示画面に、全体工程における複数の検体ラックの状態を示す全体工程表示エリアと、全体工程表示エリアに表示された複数の検体ラックから選択された検体ラックを拡大表示する検体ラック拡大表示エリアを表示し、検体ラック拡大表示エリアに近接して配置され、複数の検体ラックを順次表示するためのスクロールバーを表示し、スクロールバーの操作を受け付けて、スクロールバーの操作に応じた検体ラックのデータを記憶部から読みだして表示するよう制御する自動分析装置の情報表示システムを提供する。
同様に、検体を分析する自動分析装置の情報表示システムであって、搬送路を介して搬送される検体ラック上の検体が分注される前処理ディスクと、検体に関するデータを記憶する記憶部と、検体の自動分析に関する情報を表示する表示部と、前処理ディスク、記憶部、および表示部を統括する制御部とを備え、制御部は、表示部の表示画面上に、全体工程における複数の検体ラックの状態を示す全体工程表示エリアと、前処理ディスク上の検体の状態を示す前処理ディスク表示エリアを表示するよう制御する構成の自動分析装置の情報表示システムを提供する。
【発明の効果】
【００１３】
本発明によれば、自動分析装置において、操作者は選択した検体に対するメニュー選択をスムーズに、確実に進めることができる。
【図面の簡単な説明】
【００１４】
【図１】第１の実施例に係る自動分析装置の全体構成を示す図である。
【図２】第１の実施例に係る自動分析装置の表示部に表示される検体リスト画面の一例を示すである。
【図３】第１の実施例に係る自動分析装置の表示部に表示される検体リスト画面の他の例を示すである。
【図４】第１の実施例に係る自動分析装置の表示部に表示される検体リスト画面の他の例を示すである。
【図５】第１の実施例に係る自動分析装置の表示部に表示される検体ラック画面の一例を示すである。
【図６】第１の実施例に係る自動分析装置の表示部に表示される検体ラック画面の他の例を示すである。
【図７】第１の実施例に係る自動分析装置の表示部に表示される検体ラック画面の他の例を示すである。
【図８】第１の実施例に係る自動分析装置の表示部に表示される検体ラック画面の他の例を示すである。
【図９】第１の実施例に係る自動分析装置の表示部に表示される検体依頼画面の一例を示すである。
【図１０】第１の実施例に係る自動分析装置の動作を示す操作フローの一例を示す図である。
【図１１】第１の実施例に係る自動分析装置の動作を示す他の操作フローを示す図である。
【図１２】第１の実施例に係る自動分析装置の動作を示す他の操作フローを示す図である。
【図１３】第１の実施例に係る自動分析装置の記憶部に蓄積されるデータテーブルの一例を示す図である。
【発明を実施するための形態】
【００１５】
以下、図面を用いて本発明の実施例を説明する。
【実施例１】
【００１６】
図１は、第１の実施例に係わる自動分析装置の全体構成を示す図である。同図において、１は平面概略構成が図示された自動分析装置本体である。２は装置の制御部であり、通常のパーソナルコンピュータ（Personal Computer：ＰＣ）等で用いられる中央処理部（Central Processing Unit：ＣＰＵ）であり、プログラムを実行して装置全体の制御を行う。３は液晶モニタで代表される平面ディスプレイなどの表示部、４はマウスやキーボードなどの入力部、５はメモリや外部記憶装置などで構成され、制御部２で実行されるプログラムや測定データなどを記憶する記憶部である。制御部２、表示部３、入力部４、および記憶部５によって、自動分析装置の操作部を構成している。なお、入力部４からの入力は、表示部３をタッチパネルで構成したり、表示部３に画面表示された押しボタン等のグラフィックユーザインタフェース(Graphic User Interface：ＧＵＩ)を利用することによっても可能であるので、これらを纏めて入出力部と呼んだり、ユーザインタフェース部と呼んでも良い。【００１７】
本実施例の自動分析装置本体１では、検体ラック投入部６に複数の検体容器が搭載された複数の検体ラック７がセット可能であり、投入された検体ラックは順次、内部の搬送路８、１０を介して、第１搬送アームの可動範囲、すなわち検体のサンプル分注位置に搬送される。ここで、搬送路１０の逆側の延長線上には、緊急用検体投入部９が設けてあり、この緊急用検体投入部９から緊急の検体ラックを矢印１０の方向に投入することができる。１６は第１搬送アーム２０の可動範囲に搬送された検体ラックを示し、１７は検体ラック１６上の検体サンプルが入れられた複数の検体容器を示す。検査終了後、検体ラック１６は搬送路１１、１８を経由して、検体収納部１９に収納される。なお、１２はバーコードリーダを示しており、バーコードリーダ１２によって検体ラックや検体容器等から読み出された各種データは記憶部５に蓄積される。【００１８】
第１搬送アーム２０は、検体ラック１６の試験管などの検体容器１７からサンプルである検体を取り出し前処理ディスク２１の複数の反応セル２２に分注される。希釈などの前処理が終了した検体は、第２搬送アーム２３により反応ディスク２４の反応セル２５にサンプル分注され、反応ディスク２４の反応セル２５に分注された検体には、第３、第４搬送アーム２６、２７を使って、第１、第２試薬ディスク２８１、２８２の試薬容器２９１、２９２から、所定の試薬が投入されることにより、その分析がなされる。なお、反応セル２２、反応セル２５が複数取り付けられた前処理ディスク２１、反応ディスク２４は、それぞれ図示を省略した駆動機構を制御部２により制御することにより、周方向回転と停止を一定サイクルで繰り返して、複数の反応セルを間欠的に移動させることができる。【００１９】
第１、第２試薬ディスク２８１，２８２には、検体サンプルと混合して反応させるための各種の試薬が入れられた複数の試薬容器２９１、２９２が、円形ディスクの円周上に固定されて配置されている。また、第１、第２試薬ディスク２８１、２８２はそれぞれ、図示を省略したモータや回転軸等から構成される駆動機構を制御部２により制御することにより、位置決め可能に周方向回転する。分析、検査が終了した検体ラックは、上述のとおり、サンプル分注位置から搬送路１１、１８を経て検体収納部１９へ搬送され収納される。【００２０】
図１の装置において、表示部３は、制御部２の制御のもと、検体の分析項目設定情報や測定結果等の各種データの画面表示など、後で詳述する前処理ディスク画面等の各種の表示を行うことができる。また、入力部４は、操作者が分析条件，メンテナンス等の各種情報の入力や動作指示を行うために利用する。また、記憶部５は上述したように、プログラム、即ち表示制御も含めた各種のＣＰＵ用制御プログラム、各機構を制御するためのシーケンスプログラム、およびデータ、即ち分析項目，測定結果等の各種情報を記憶している。なお、記憶されるデータの一例を後に図面を用いて説明する。【００２１】
図１の自動分析装置本体１の前処理ディスクや反応ディスクなどの機構部は、記憶部３に記憶されているシーケンスや入力部４からの入力指示に基づき、制御部２により制御される。記憶部５には、更に試薬，洗剤，希釈液，消耗品など装置運用に必要な品目の残量や状態等の各種データを記録しておき、定期的、あるいは変化があった場合に制御部２を介してこれらの情報を表示部３で表示する。【００２２】
続いて、図２〜図９を用いて本実施例の自動分析装置の情報表示画面の一構成例を説明する。上述したように、これらの画面表示は表示制御も含め、制御部２のプログラム制御によって行われる。【００２３】
まず、図２において、本実施例における検体リストの表示画面例を示す。表示部３の表示画面３０上に、検体ラックの情報を表示する検体リストエリア３１が表示される。この検体リスト３１には、最上位段に示すように、検体の状況３１１、ラックNo．３１２、検体ID３１３、名前３１４、種別３１５、日付時刻３１６が表示される。３３は検体リスト表示エリア３１に表示されるデータをスクロールするための、スクロールバーを示す。図２において、検体リスト表示エリア３１から選択され、ハイライト表示された検体３２１の検査結果のデータが検体リスト結果表示エリア３４に表示される。検体リスト結果表示エリア３４には、最上位段に示すように、状況３４１、項目名３４２、結果３４３、再検３４４が表示される。３５は、スクロールバーである。また、選択された状態にある検体３２１の右端には、後述するポップアップメニューを表示させるためのポップアップ用ボタン３２３が表示される。【００２４】
また、表示エリア３６には、メニュー３６１、スケジューラ３６２、検体依頼３６３、メンテナンス３６４、アラーム３６５、プリント３６６等の開始用ボタンや、ストップ３８１、サンプルストップ３８２等のボタンが配置されている。同様に、表示エリア３７には、検体ラック３７１、試薬３７２、キャリブレーション３７３、精度管理３７４、データモニタ３７５の表示指示ボタンが配置されている。なお、３９はスタートメニューボタンを示している。これら各種のボタンによる動作指示は通常の技術で実現できることはいうまでも無い。【００２５】
図３、図４は図２と同様、検体リスト表示画面の他の例を示している。図３、図４においては、ラックNo．Ｇ０１２３−４、検体ID０００１０００１５に対応する検体３２２が選択され、ハイライト表示されている。そして、検体リスト結果表示エリア３４には、その検査結果データが表示される。そして、同図より明らかなように、C反応性タンパク（ＣＲＰ）の数値９０には数値の異常等を示すためハイライト表示がなされている。【００２６】
更に、図４の場合、ハイライト表示された検体３２２に表示されたポップアップ用ボタン３２３がクリックされたことによって、ポップアップメニュー４０が表示された場合を示している。このポップアップメニューは、検体リスト３１のうちの選択され、ハイライト表示された検体に表示されたポップアップ用ボタン３２３の近傍に、この検体に対するメニューの選択肢を別ウィンドウにて重ね表示するものであり、この実施例ではポップアップ用ボタン３２３からの吹き出しウィンドウとして表示されている。このポップアップメニュー４０中には、検体属性４１、再検依頼４２、検体位置４３等のメニューボタンが表示され、ユーザはこれらの何れかを選択することにより、所望の処理、画面表示に移ることができる。例えば、再検依頼４２をクリックすると、後で詳述する図９の検体依頼の画面が表示される。このポップアップ用ボタン３２３は、選択された検体に対して選択可能なメニューが存在することを表し、かつ、検体ごとにリスト中に表示されるため、操作者は選択した検体に対する操作であることを明確に把握しながらメニュー選択のステップにスムーズに進むことができる。また、ポップアップメニュー４０がポップアップ用ボタン３２３の近傍に表示されるため、視線移動も少なく、確実に所望のメニューを選択することが可能である。さらに、このポップアップ用ボタン３２３は、表示部３をタッチパネルで構成した場合に特に有効である。タッチパネルの場合は画面タッチに関して、マウスの左ボタンと右ボタンのように複数の機能を持たせることが難しく、例えば「左クリックは検体選択、右クリックはメニュー表示」などの機能を割り当てることが困難である。本実施例のように検体ごとにポップアップ用ボタン３２３を表示することで、検体に対するメニューの選択を容易に行うことができる。また、選択された検体の右端に表示することで、マウスの右クリックを連想させ、直感的に選択した検体に対するメニュー表示であることを把握しやすくなる。【００２７】
図５〜図８に、本実施例における情報表示画面の他の例として検体ラック表示画面を示す。図５に示すように、本実施例における検体ラック表示画面５１には、その左半分に全体工程表示エリア５２が、その右半分の上側に拡大表示エリア５７と、右半分の下側に前処理ディスク表示エリア５８が表示される。この検体ラック表示画面５１は、表示エリア３７の検体ラック表示指示ボタン３７１が押下される場合等に表示される。検体ラック３７１のボタンが選択押下されると、制御部２の制御により、表示部３の表示画面３０の検体ラック表示エリア５１には、上述した全体工程表示エリア５２、拡大表示エリア５７、前処理ディスク表示エリア５８が表示される。【００２８】
全体工程表示エリア５２には、複数の検体ラックの位置等、検査の全体工程を示すため種々のエリアが表示される。すなわち、全体工程表示エリア５２には、トレイ供給ラック５２１、緊急検体投入ラック５２２、サンプリング検体５２３、検体収納部１９に収納された検体ラックを表示する収納部表示エリア５３、更にプライマリ検体表示エリア５４、セカンダリ検体表示エリア５５が表示される。ここで、セカンダリ検体エリア５５に表示されるのは、分析中に係る単一の検体のデータであるが、他のエリアに表示されるデータは検体ラック単位のデータである。この検体ラック単位の画面表示により、操作者は投入した検体ラックの装置中における位置、検査状況等を全体的に把握することが可能となる。【００２９】
ここで、トレイ供給ラック５２１は、検体ラック投入部６から投入された後、搬送路８、１０上にあり、未だ第１搬送アーム２０の可動範囲、すなわち検体のサンプル分注位置に搬送されていない検体ラックを示す。緊急検体投入ラック５２２は、緊急用検体投入部９から投入された緊急検体投入ラックを示す。また、サンプリング検体は、前処理のためのサンプル分注途中の検体ラックを示す。操作者は、本実施例の表示制御の下、全体工程表示エリア５２の表示画面を見ることにより、各検体ラックの位置や検査の状況等を視覚的に理解することができる。【００３０】
更に、全体工程表示エリア５２には、上述の通り、プライマリ検体表示エリア５４とセカンダリ検体表示エリア５５が表示される。ここでプライマリ検体とは、第１搬送アームによって、前処理ディスク２１に分注された検体を言う。また、セカンダリ検体とは、第２搬送アーム２３によって、前処理ディスク２１の反応セル２２中の前処理後のサンプルが反応ディスク２４の反応セル２５に分注され、分析最中の検体を言う。プライマリ検体表示エリア５４には、プライマリ検体ラック５４１と、ハイライト表示された一つの検体の詳細データ５４２を表示することができる。【００３１】
なお、検体ラック表示エリア５１の収納部表示エリア５３の右横下にはラック凡例５３１が表示され、それぞれ色分けされたラックの凡例領域として、一般、緊急、手動再検、キャリブ、コントロール、洗浄、なしが表示してある。本字実施例においては、ラック凡例５３１は情報の状態を説明するために表示されていて、選択することはできない構造であるが、ボタン押下によって選択可能な構造であっても良いことは言うまでもない。収納部表示エリア５３に右上横の５６は、収納部表示エリア５３をスクロールするためのスクロールバーを示している。このスクロールバー５６をスクロールすることにより、収納部表示エリア５３に検体収納部１９に収納された複数の検体ラックを順次表示することができる。そして、操作者によって選択された検体ラックの詳細情報が、拡大表示エリア５７上の検体状況表示エリア５７０と検体ラック拡大表示エリア５７１に表示される。検体状況表示エリア５７０には、各検体の状況５７３、検体ID５７４、名前５７５、コメント５７６が検体リストの形式で表示される。検体ラック拡大表示エリア５７１には、選択された検体ラックNo．５７２と、後で図示説明するように、検体ラック上の検体の状況が検体凡例に基づき拡大表示される。【００３２】
５８は、検体ラック表示画面５１上の前処理ディスク表示エリアを示す。この前処理ディスク表示エリア５８には、図１に示した前処理ディスク２１上の全ての反応セル中の検体サンプル状況を示す斜視図が表示される。５８１、５８２はそれぞれ、前処理ディスク２１上の２重に設置された複数の反応セル２２の検査状況等を模式的に示す領域である。各反応セルの検体サンプル状況は、前処理ディスク表示エリア５８の下部に表示された検体凡例５８３によって示されるため、検査を行っている操作者は容易に理解することができる。【００３３】
図５より明らかなように、検体凡例５８３には、アラーム付き測定完了、バーコードエラー、サンプル不足、カップなし、カップあり、分析中、アラームなし測定完了が表示される。本実施例において、検体凡例５８３は情報の状態を説明するために表示されていて、選択することはできない構造であるが、押しボタン押下により選択可能な構造とすることもできる。操作者は、検体凡例５８３により、前処理ディスク表示エリア５８や検体収納部表示エリア５３に収納表示された検体ラック中の検体の状況を、凡例記号に基づき目視で容易に確認していくことができる。【００３４】
次に、図６は、図５に示した収納部表示エリア５３に表示された検体ラックＧ０１２３が操作者によって選択された後の表示画面例を示すものである。収納部表示エリア５３では選択されたＧ０１２３の外枠が太く表示される。また、ラックNo．表示エリア５７２には選択された検体ラックＧ０１２３が表示され、検体ラック拡大表示エリア５７１には、検体ラックＧ０１２３上の５個の検体サンプルの検査状況が、上述した検体凡例５８３に基づき、表示される。検体ラックＧ０１２３中の検体４は、図６に示されているようにアラーム付き測定完了の状態にある。【００３５】
この状態で操作者が検体４に対応する検体表示エリア５７７を選択すると、ハイライト表示されると共に、ポップアップメニュー用ボタン５７８が表示される。更に、前処理ディスク表示エリア５８に、該当する検体のサンプルが前処理ディスク２１のどの反応セルに存在するかを示す矢印マーク５８１、５８２が表示される。この矢印マーク５８１、５８２が表示されることより、操作者は再検査が必要と判断した検体が前処理ディスク２１に存在するか否かや、該当検体サンプルの前処理ディスク２１上の存在位置を視覚的に把握することができ、後で説明する手動再検の必要性を視覚的に判断することができる。【００３６】
図７は、操作者がアラーム付き測定完了と凡例表示された検体ID０００１０００１５について、データの詳細内容の確認や更なる処理を行いたい場合、ポップアップメニュー用ボタン５７８を押すことによって、画面上にポップアップメニュー５７９を表示させた状態を示している。ここでのポップアップメニュー５７９も図４におけるポップアップメニュー４０と同様に、検体表示エリア５７７の中から選択されハイライト表示された検体のポップアップ用ボタン５７８の近傍に、この検体に対するメニューの選択肢を別ウィンドウにて重ね表示するものである。【００３７】
ここで操作者が「検体属性」を選択すると、図７で表示されたスクロールバー５６と検体ラック拡大表示エリア５７１等に代え、図８に示すように、拡大表示エリア５７に前処理ディスク拡大表示エリアとして機能する前処理ディスク拡大画面５９が表示される。すなわち、拡大表示エリア５７の前処理ディスク拡大画面５９には、前処理ディスク表示エリア５８の扇型の選択領域５８４に位置する検体サンプルの検体凡例群が表示され、アラーム付き測定完了の検体凡例５９１がハイライト表示される。更にその検体の検体ID、検体種別等が属性表示エリア５９２に表示される。この画面表示により、操作者は注目する検体サンプルの前処理ディスク２１上の存在位置や、検体サンプルの検査状況の詳細な情報を可視的に得ることができる。【００３８】
次に、図９に本実施例における表示部３における他の情報表示画面例として検体依頼表示画面の一例を示す。表示部３の表示画面３０に表示される検体依頼表示画面６１には、対象としている検体の検体種別６２、検体ID６３、検査項目グループ６４が表示される。ここで、操作者が検査項目グループ６４中の検査項目としてＣＲＰ６４１を選択すると、ＣＲＰ６４１が選択表示、ハイライト表示に変化する。なお、この検体依頼画面表示は、表示エリア３６の検体依頼３６３を選択することによって表示可能であるが、先に説明したように、図４のポップアップメニュー４０や、図７のポップアップメニュー５７９の「再検依頼」を選択することによって検体の再検依頼を行う場合にも表示できる。なお、同図において、６５、６６はそれぞれ検体依頼の完了ボタン、キャンセルボタンを示している。【００３９】
さて、本実施例においては、以上の装置構成および表示画面を用いて、検体サンプルの自動分析を制御部２の制御により実行する。以下、図１０〜１２に示すフローチャートを使って本実施例の自動分析動作フローを順次説明する。なお、以下に説明するフローチャートは、先に説明した制御部２を構成するＣＰＵ上で実行されるので、原則フローチャート中の各ステップの動作主体は装置の制御部２となるが、入力部３やＧＵＩを介した操作者の入力指示がその動作主体である場合もあることは言うまでもない。【００４０】
図１０に分析開始から分析終了にいたる動作の全体フローを示した。分析が開始されると（１００）、バーコードリーダ１２によって、搬送路１１を搬送される検体ラック上の検体のバーコードラベルが正常に読込むことが出来たか否かが判定され（１０１）、正常に読むことができなかった場合、検体ラック画面５１と検体リスト画面３１の対象の検体に「バーコード」エラーアイコンを表示するよう制御する。そして、表示エリア３７の検体ラックボタン３７１が押下された場合（１０３でYES）、図５以降に示した検体ラック画面を表示する（１０４）。なお、同図の丸１、丸２の処理フローについては、後で図１１、図１２を使って説明する。【００４１】
バーコードラベルが正常に読込むことができた場合、サンプルの量は足りるか否かが判断される（１０５）。足りなかった場合（１０５でNO）、検体ラック画面５１と検体リスト画面３１の対象検体に「サンプル不足」エラーアイコンを表示するよう制御する。その後、検体ラックボタン３７１が押下された場合（１０７でYES）、同様に検体ラック画面を表示する（１０８）。【００４２】
サンプルの量が足りた場合、分析結果が正常値範囲内で完了したか否かが判断される（１０９）。正常値範囲内で無い場合（１０９でNO）、検体ラック画面５１と検体リスト画面３１の対象の検体に「アラーム付き測定完了」アイコンを表示する（１１０）。続いて、対象の検体が前処理ディスクにあるか否かを判断される（１１１）。前処理ディスクに無い場合（１１１でNO）、検体ラックボタン３７１が押下されたか否かを判断し（１１２）、押下された場合検体ラック画面５１を表示する（１１３）。一方、前処理ディスクに対象の検体がある場合（１１１でYES）、自動再検を実行する（１１４）。また、分析結果が正常値範囲内で完了した場合（１０９でYES）、分析は終了する。【００４３】
次に、図１１の処理フローを使って、操作者が検体ラック画面５１から、図１０の丸１の処理を実行する場合について説明する。検体ラック画面５１が表示され、確認作業がスタートすると（１１６）、まず全体工程表示エリア５２中のラック表示エリアの検体ラックが選択されたか否かが判断される（１１７）。ラック表示エリアの検体ラックが選択されない場合（１１７でNO）、前処理ディスクエリア５８が選択されたか否かが判断される（１１８）。否の場合処理を終了する（１２７）。前処理ディスクエリア５８が選択された場合（１１８のYES）、拡大表示エリア５７に、前処理ディスク拡大画面５９の選択領域を表示し、検体の属性表示エリア５９３に選択された検体の詳細属性情報を表示する。また、全体工程表示エリア５２中のいずれかの検体ラックが選択されたとき（１１７でYES）、拡大表示エリア５７に選択された検体ラックを表示し、検体ラック拡大表示エリア５７１に拡大表示中のラック内の検体を一覧表示し、検体状況表示エリア５７０に当該ラック内の検体サンプルの状況を表示し、検体ラック内の選択された検体サンプルを示すハイライト表示がなされる（１２０）。続いて、制御部３において、この選択された検体サンプルが前処理ディスク２１中に存在するか否かの判断が行われ（１２１）、存在する場合（１２１でYES）、制御部３は、前処理ディスク表示エリア５８内の該当する検体に矢印マーク５８１、５８２を表示する（１２２）。更に、制御部３は、選択された検体サンプルが前処理ディスク２１中の存在する場合、予め設定されたプログラムの制御の下、当該検体サンプルの自動再検を実行する。この自動再検の検査項目は、例えばアラームが付けられた検査項目などに設定されている。【００４４】
先にも述べたように、操作者は検体ラック表示エリア５１の前処理ディスク表示エリア５８を見ることにより、この矢印マーク５８１、５８２を認識することができるので、前処理ディスク２１上に該当検体サンプルが存在する場合は、自動再検が実行されることを認識することができる。もし、矢印マーク５８１、５８２等が表示されない場合であって、操作者が当該検体サンプルの再検査を希望する場合は、ポップアップメニュー用ボタン５７８を押下してポップアップメニュー５７９を表示させ、再検依頼を選択押下する。制御部３は、この操作者による「再検依頼」ボタン押下を検出した場合（１２３のYES）、図９に示した検体依頼画面を表示部３に表示する。【００４５】
そして操作者が、検体依頼画面６１で対象検体の検査項目として、例えばＣＲＰ６４１を選択し、検体依頼３６３を押下し、完了ボタン６５で検体依頼を完了する。制御部３は、操作者による「完了」ボタンの押下を検出すると（１２５のYES）、手動再検を実行する。なお、この手動再検の場合、上述のように装置の制御部２が前処理ディスク２１中の検体サンプルを予め定めたプログラム手順で再検する自動再検と異なり、操作者が再度、再検対象である検体サンプルを搭載した検体ラックを検体ラック投入部６に投入することによって開始される。【００４６】
更に、図１２の処理フローに基づき、操作者が検体リスト画面３１から、図１０の丸２の処理を実行する場合について説明する。検体リスト画面３１が表示され、確認作業がスタートすると（１２８）、まず検体リスト画面３１中の検体が選択されたか否かが判断され（１２９）、検体が選択されない場合（１２９でNO）、最新の検体が選択状態となる（１３０）。検体が選択された場合（１２９のYES）には、その検査結果を検体リスト結果表示エリア３４に表示する。続いて、制御部３は、操作者によりポップアップメニュー用ボタン３２３が押下され、検体位置４３が選択されたか否かを検出し、「検体位置」ボタン４３が押下された場合（１３２のYES）、検体ラック画面５１を表示する（１３３）と共に、全体工程表示エリア５２のラック表示エリアに対象の検体があるか否かを判断し（１３４）、対象の検体がある場合は（１３４のYES）は上述した図１１の処理フローに移る。対象の検体が無い場合は（１３４のNO）、前処理ディスク２１に対象の検体があるか否かを判断し（１３５）、有りの場合（１３５のYES）、拡大表示エリア５７に、前処理ディスク拡大画面５９を表示し、選択された検体５９１をハイライト表示すると共に、検体の属性表示エリア５９２に選択された検体の詳細情報を表示し（１３６）、図１１の処理フローに移る。なお、前処理ディスク２１に対象の検体が無い場合は、処理を終了する（１３７）。【００４７】
図１３に、本実施例における自動分析装置の記憶部５中に蓄積される各検体ラックの各種データのテーブルの一例を示す。同図において、テーブル１３８の横軸で、１３８０、１３８１、１３８２、１３８３、１３８４、１３８５、１３８６、１３８７、１３８８、１３８９はそれぞれ、ラックNo、ラック種別、ラック位置、ポジション、検体ID、ラックポジション状況、検査項目、結果、前処理ディスク位置、前処理ディスク状況を示している。【００４８】
以上本発明の好適な実施形態を実施例１として詳述したが、本発明はこの実施例１の構成に限定されるものでないことは言うまでもない。【００４９】
上述の実施の形態の特徴は、検体を分析する自動分析装置であって、投入部より投入され、搬送路を介して搬送された検体ラック上の検体サンプルが分注される前処理ディスクと、前記前処理ディスクで前処理された前記検体サンプルが分注される反応ディスクと、前記前処理ディスク、前記反応ディスクの動作を制御する制御部と、前記制御部により制御される表示部と、前記検体に関するデータを記憶する記憶部を備え、前記制御部は、前記表示部の表示画面上に、全体工程における複数の前記検体ラックの状態を示す全体工程表示エリアと、前記前処理ディスク上の前記検体サンプルの状態を示す前処理ディスク表示エリアを表示するよう制御する点にある。【００５０】
また、上述の実施形態の他の特徴は、検体サンプルを分析する、制御部と表示部を備えた自動分析装置の自動分析方法であって、前記制御部は、搬送路を介して搬送された検体ラック上の検体サンプルが分注される前処理ディスクと、前処理された検体サンプルが分注される反応ディスクで処理される検体サンプルの状況を前記表示部に表示する際に、前記表示部の表示画面上に、全体工程における前記検体ラックの状態を示す全体工程表示エリアと前記前処理ディスク上の前記検体サンプルの状況を示す前処理ディスク表示エリアを表示するよう制御する点にある。【００５１】
さらに、上述の実施形態は以下の更なる特徴を有する。
前記制御部は、前記表示部の表示画面に、前記全体工程表示エリアに表示された複数の前記検体ラックから選択された検体ラックを拡大表示する検体ラック拡大表示エリアを表示するよう制御する。【００５２】
前記制御部は、前記全体工程表示エリアに、プライマリ検体とセカンダリ検体の情報を表示するよう制御する。
前記制御部は、前記前処理ディスク表示エリアに表示された前記検体サンプルの状況を拡大表示する前処理ディスク拡大表示エリアを表示するよう制御する。
前記制御部は、前記全体工程表示エリアに、トレイ供給ラック、緊急検体投入ラック、サンプリング検体、及び前記プライマリ検体をラック単位で表示するよう制御する。【００５３】
前記制御部は、前記全体工程表示エリアに、前記セカンダリ検体を検体単位で表示する。また、前記制御部は、前記前処理ディスク表示エリアに、前記検体ラック拡大表示エリアに表示された前記検体ラック中の複数の検体サンプルから選択された検体サンプルの位置を示す矢印マークを表示するよう制御する。【００５４】
前記制御部は、前記検体ラック拡大表示エリアに表示された前記検体ラック中の複数の検体サンプルから選択された検体サンプルが前記前処理ディスクに存在する場合、前記前処理ディスク上に存在する前記検体サンプルを用いて、選択された前記検体サンプルの再検査を実行するよう制御する。【００５５】
前記制御部は、前記検体ラック拡大表示エリアに表示された前記検体ラック中の複数の検体サンプルから選択された検体サンプルが前記前処理ディスクに存在しない場合、前記選択された検体サンプルの再検依頼が入力されるか否かを監視する。【００５６】
上述の実施形態によれば、前処理ディスクを備えた自動分析装置において、操作者は検体ラックの全体工程における位置状況を視覚的に把握することができる。また、検体ラック中の検体サンプルが再検を必要とする場合、前処理ディスク上に検体サンプルが存在する否かを前処理ディスク表示画面から把握することができるので、手動再検依頼をスムーズに進めることができる。
【産業上の利用可能性】
【００５７】
本発明は、生体サンプルの定性・定量分析を行う自動分析装置、特に表示画面を備えた自動分析装置のユーザインタフェースとして有用である。
【符号の説明】
【００５８】
１…自動分析装置本体
２…制御部
３…表示部
４…入力部
５…記憶部
６…検体ラック投入部
７…検体ラック
８…搬送路
９…緊急用検体投入部
１０…搬送路
１１…搬送路
１２…バーコードリーダ
１６…検体ラック
１７…検体容器
１８…搬送路
１９…検体収納部
２０、２３、２６、２７…搬送アーム
２１…前処理ディスク
２２…反応セル
２４…反応ディスク
２５…反応セル
２８１、２８２…試薬ディスク
２９１、２９２…試薬容器
３０…表示画面
３１…検体リスト表示エリア
３２１、３２２…検体リストの検体
３３、３５、５６…スクロールバー
３４…検体リスト結果表示エリア
３６、３７…ボタン表示エリア
３８１、３８２…ストップボタン
３９…スタートメニューボタン
４０…ポップアップメニュー
５１…検体ラック表示エリア
５２…全体工程表示エリア
５３…収納部表示エリア
５４…プライマリ検体表示エリア
５５…セカンダリ検体表示エリア
５７…拡大表示エリア
５７０…検体状況表示エリア
５７１…検体ラック拡大表示エリア
５７２…ラックNo.
５７３…状況
５７４…検体ID
５７５…名前
５７６…コメント
５７７…検体表示エリア
５８…前処理ディスク表示エリア
５９…前処理ディスク拡大画面
６０…閉じるボタン
６１…検体依頼表示エリア
６２…検体種別表示エリア
６３…検体ID表示エリア
６４…検査項目グループ
６５…完了ボタン
６６…キャンセルボタン。
【図１】
0005476389.tif 000002
【図２】
0005476389.tif 000003
【図３】
0005476389.tif 000004
【図４】
0005476389.tif 000005
【図５】
0005476389.tif 000006
【図６】
0005476389.tif 000007
【図７】
0005476389.tif 000008
【図８】
0005476389.tif 000009
【図９】
0005476389.tif 000010
【図１０】
0005476389.tif 000011
【図１１】
0005476389.tif 000012
【図１２】
0005476389.tif 000013
【図１３】
0005476389.tif 000014